(57)【要約】【課題】必要最小限のキーをロック対象キーとすることができ、利便性と操作性を高めた電子機器を提供する。【解決手段】この携帯通信端末装置１００は、音声メッセージや文字メッセージまたは制御信号等を高周波により変調してアンテナ４０より送出したり、アンテナ４０より受信した音声メッセージや文字メッセージまたは制御信号等を復調して制御部１２に出力する送受信回路部１０と、フラッシュメモリ１４に記憶されたプログラムやデータに従って、キー操作部２４および送受信回路部１０からの制御信号により動作し、送受信回路部１０、ＬＣＤドライバ１８および音声処理部２６を制御する制御部１２と、複数の電話番号および氏名等を記憶するフラッシュメモリ１４と、ＬＣＤ表示部２２を駆動してこれの表示を行うＬＣＤドライバ１８と、を備えて構成されている。【選択図】図１
2009105677.tif 000002
【特許請求の範囲】
【請求項１】
複数の操作キーと、何れかの前記操作キーがオンされた際に、該操作キーのオンに基づいた制御を行なう制御部と、を備えた電子機器であって、
前記複数の操作キーの中からロック対象キーを選択するモードを起動するモード起動キーと、該モードによる動作を完了させるモード完了キーと、を備えたことを特徴とする電子機器。
【請求項２】
前記操作キーの何れかがオンされたときに、既に前記ロック対象キーを選択するモードに設定され、且つ前記モード完了キーがオンされている場合は、前記制御部は、該モード完了キーがオンされる以前にオンされたキーを前記ロック対象キーとしてロックすることを特徴とする請求項１に記載の電子機器。
【請求項３】
前記操作キーの何れかがオンされたときに、前記ロック対象キーを選択するモードであり、且つ前記モード完了キーがオンされた後で前記操作キーの何れもオンされない場合は、前記制御部は、全ての操作キーを前記ロック対象キーとしないことを特徴とする請求項１に記載の電子機器。
【請求項４】
前記操作キーの何れかがオンされたときに、前記ロック対象キーを選択するモードでなく、且つ前記モード起動キーがオンされた際に、前記操作キーの何れかがロック状態である場合は、前記制御部は、該ロック状態を解除することを特徴とする請求項１に記載の電子機器。
【請求項５】
前記操作キーの何れかがオンされたときに、前記ロック対象キーを選択するモードでなく、且つ前記モード起動キーがオンされた際に、前記操作キーがロック状態でない場合は、前記制御部は、前記ロック対象キーを選択するモードに移行することを特徴とする請求項１に記載の電子機器。
【請求項６】
前記操作キーの何れかがオンされたときに、前記ロック対象キーを選択するモードでなく、且つ前記モード起動キーがオンされず、前記オンされた操作キーがロック対象キーとして選択されていない場合は、前記制御部は、該操作キーに基づいた制御を行なうことを特徴とする請求項１に記載の電子機器。
【請求項７】
前記操作キーの何れかがオンされたときに、前記ロック対象キーを選択するモードでなく、且つ前記モード起動キーがオンされず、前記オンされた操作キーがロック対象キーとして選択されている場合は、前記制御部は、エラーとして処理することを特徴とする請求項１に記載の電子機器。
【請求項８】
複数の操作キーと、何れかの前記操作キーがオンされた際に、該操作キーのオンに基づいた制御を行なう制御部と、を備えた電子機器の操作キー制御方法であって、
前記複数の操作キーの中からロック対象キーを選択するモードを起動するモード起動キーと、該モードによる動作を完了させるモード完了キーと、を備え、
前記操作キーの何れかがオンされたときに、既に前記ロック対象キーを選択するモードに設定されているとき、前記モード完了キーがオンされた場合は、前記制御部は、該モード完了キーがオンされる以前にオンされたキーを前記ロック対象キーとしてロックすることを特徴とする電子機器の操作キー制御方法。
【請求項９】
前記操作キーの何れかがオンされたときに、前記ロック対象キーを選択するモードであり、且つ前記モード完了キーがオンされた後で、前記操作キーの何れもオンされない場合は、前記制御部は、全ての操作キーを前記ロック対象キーとしないことを特徴とする請求項８に記載の電子機器の操作キー制御方法。
【請求項１０】
請求項８又は９に記載の電子機器の操作キー制御方法をコンピュータが制御可能にプログラミングしたことを特徴とする操作キー制御プログラム。
【発明の詳細な説明】
【技術分野】
【０００１】
本発明は、電子機器に関し、さらに詳しくは、電子機器のキー操作によるロック機能の利便性を向上する操作キー制御方法に関するものである。
【背景技術】
【０００２】
複数の操作キーを備えた電子機器では、操作手順のミスを報知する機能や、安全性を確保するために操作キーの操作を無効とするキーロック機能が備えられているものが多い。特に、電子機器が携帯型の場合、操作者が意識しないときに、不用意に操作キーがオンされる可能性があるため、キーロック機能は欠かせない機能となる。
従来の携帯無線機器におけるキーロックは、例えば図３に示すように、何れかのキーが押されると（Ｓ３０）、キーロック起動キーか否かを判断して（Ｓ３１）、キーロック起動キーであれば（Ｓ３１でＹｅｓ）、キーロックの状態をＯＮ／ＯＦＦし（Ｓ３５）、ステップＳ３１でキーロック起動キーでなければ（Ｓ３１でＮｏ）、キーロック状態を判断して（Ｓ３２）、キーロック状態であれば（Ｓ３２でＮｏ）そのキーの動作を処理し（Ｓ３３）、キーロック状態であれば（Ｓ３２でＹｅｓ）エラー音を発声してエラーであることを報知する（Ｓ３４）といった単純なものであった。
また、従来技術として特許文献１には、折り畳み式の携帯通信端末において、折り畳まれたことを検出して、キー操作を無効にする技術について開示されている。
【特許文献１】特開２００２−２６１９１３公報
【発明の開示】
【発明が解決しようとする課題】
【０００３】
しかしながら、従来のキーロックは、ロックのＯＮ／ＯＦＦの設定（ステップＳ３５）のみでロックをかけると、全てのキーが動作しなくなっていた。また、一部有効なキーが存在したとしても、それは機器に予め設定されており、使用者が選択することはできなかった。そのため、直ぐに使いたいキーがある場合でも、他の部分で誤動作を起こさないためには、全てのキーをロックしなければならなかった。現在、機器が多機能化しており、使用目的も多様化しているため、直ぐに使いたいキーやロックしたいキーが使用者により異なるため、全てのキーがロック状態になるのは不便であった。
また、特許文献１に開示されている従来技術は、機器が折り畳み形式の場合に対応が可能であり、それ以外の機器に対しては、対応できないといった問題がある。
本発明は、かかる課題に鑑みてなされたものであり、キーロックするロック対象キーを選択できるモードを設け、該モードのときにロック対象キーを自由に選択できるようにすることにより、必要最小限のキーをロック対象キーとすることができ、利便性と操作性を高めた電子機器を提供することを目的とする。
【課題を解決するための手段】
【０００４】
本発明はかかる課題を解決するために、請求項１は、複数の操作キーと、何れかの前記操作キーがオンされた際に、該操作キーのオンに基づいた制御を行なう制御部と、を備えた電子機器であって、前記複数の操作キーの中からロック対象キーを選択するモードを起動するモード起動キーと、該モードによる動作を完了させるモード完了キーと、を備えたことを特徴とする。
複数の操作キーを備えた電子機器では、不用意にオンされた場合でも異常な動作をしないように、ロック機能が備えられている。本発明では、ロックするキーを使用者が選択できるモードを起動するモード起動キーと、そのモードを完了させるモード完了キーと、を備えている。これにより、使用者がロックするキーを任意に選択することができる。
請求項２は、前記操作キーの何れかがオンされたときに、既に前記ロック対象キーを選択するモードに設定され、且つ前記モード完了キーがオンされている場合は、前記制御部は、該モード完了キーがオンされる以前にオンされたキーを前記ロック対象キーとしてロックすることを特徴とする。
モード完了キーがオンされた後で、ロック対象キーがオンされた場合、そのキーはロック対象キーとしてロックされる。これにより、使用者がロックするキーを任意に選択することができる。
【０００５】
請求項３は、前記操作キーの何れかがオンされたときに、前記ロック対象キーを選択するモードであり、且つ前記モード完了キーがオンされた後で、前記操作キーの何れもオンされない場合は、前記制御部は、全ての操作キーを前記ロック対象キーとしないことを特徴とする。
モード起動キーがオンされるとロック対象キーを選択するモードとなる。しかし、ロック対象キーがオンされずに、モード完了キーがオンされると全ての操作キーをロック対象キーとしない。これにより、全ての操作キーをロック対象キーとしないことが容易に実現できる。
請求項４は、前記操作キーの何れかがオンされたときに、前記ロック対象キーを選択するモードでなく、且つ前記モード起動キーがオンされた際に、前記操作キーの何れかがロック状態である場合は、前記制御部は、該ロック状態を解除することを特徴とする。
ロック状態を解除する場合は、ロック対象キーを選択するモードでないときにモード起動キーを再びオンする。このときに既にロックされているキーは、そのロックが解除される。これにより、ロック状態を即座に解除することができる。
【０００６】
請求項５は、前記操作キーの何れかがオンされたときに、前記ロック対象キーを選択するモードでなく、且つ前記モード起動キーがオンされた際に、前記操作キーがロック状態でない場合は、前記制御部は、前記ロック対象キーを選択するモードに移行することを特徴とする。
ロック対象キーを選択するモードでないときにモード起動キーがオンされると、操作キーをロックするか、ロックを解除するかの何れかの動作に移行する。その判断は、モード起動キーがオンされたときに、ロック状態のキーが存在するか否かにより判断する。即ち、ロック状態のキーが存在しない場合は、ロック対象キーを選択するモードであると判断する。これにより、使用者はモード起動キーをオンするだけで、自動的にロック対象キーを選択するモードに移行することができる。
請求項６は、前記操作キーの何れかがオンされたときに、前記ロック対象キーを選択するモードでなく、且つ前記モード起動キーがオンされず、前記オンされた操作キーがロック対象キーとして選択されていない場合は、前記制御部は、該操作キーに基づいた制御を行なうことを特徴とする。
通常の操作を行なう条件は、何れかのキーをオンしたときに、ロック対象キーを選択するモードでないことを検出し、且つモード起動キーがオンされず、オンされたキーがロック対象キーとして選択されていない場合である。この状態であれば、全ての操作キーがその操作キーに基づいて動作を行なうことができる。これにより、キーロックを行なわない状態での操作を容易に行うことができる。
【０００７】
請求項７は、前記操作キーの何れかがオンされたときに、前記ロック対象キーを選択するモードでなく、且つ前記モード起動キーがオンされず、前記オンされた操作キーがロック対象キーとして選択されている場合は、前記制御部は、エラーとして処理することを特徴とする。
何れかのキーがオンされたときに、ロック対象キーを選択するモードでないことを検出し、且つモード起動キーがオンされず、開始時にオンされたキーがロック対象キーとして選択されている場合は、エラーとして処理する。これにより、押されたキーがロックされていることを即座に認識することができる。
請求項８は、複数の操作キーと、何れかの前記操作キーがオンされた際に、該操作キーのオンに基づいた制御を行なう制御部と、を備えた電子機器の操作キー制御方法であって、前記複数の操作キーの中からロック対象キーを選択するモードを起動するモード起動キーと、該モードによる動作を完了させるモード完了キーと、を備え、前記操作キーの何れかがオンされたときに、既に前記ロック対象キーを選択するモードに設定されているとき、前記モード完了キーがオンされた場合は、前記制御部は、該モード完了キーがオンされる以前にオンされたキーを前記ロック対象キーとしてロックすることを特徴とする。
本発明は請求項１、２と同様の作用効果を奏する。
【０００８】
請求項９は、前記操作キーの何れかがオンされたときに、前記ロック対象キーを選択するモードであり、且つ前記モード完了キーがオンされた後で、前記操作キーの何れもオンされない場合は、前記制御部は、全ての操作キーを前記ロック対象キーとしないことを特徴とする。
本発明は請求項３と同様の作用効果を奏する。
請求項１０は、請求項８又は９に記載の電子機器の操作キー制御方法をコンピュータが制御可能にプログラミングしたことを特徴とする。
本発明の操作キー制御方法をコンピュータが制御可能なＯＳに従ってプログラミングすることにより、そのＯＳを備えたコンピュータであれば同じ処理方法により制御することができる。
【発明の効果】
【０００９】
本発明によれば、ロックするキーを使用者が選択できるモードを起動するモード起動キーと、そのモードを完了させるモード完了キーと、を備えているので、使用者が任意にロックするキーを選択することができる。
また、モード完了キーがオンされた後で、ロック対象キーがオンされていた場合、そのキーはロック対象キーとしてロックされるので、使用者がロックするキーを任意に選択することができる。
また、モード起動キーがオンされるとロック対象キーを選択するモードとなるが、ロック対象キーがオンされずに、モード完了キーがオンされると全ての操作キーをロック対象キーとしないので、全ての操作キーをロック対象キーとしないことが容易に実現できる。
また、ロック状態を解除する場合は、ロック対象キーを選択するモードでないときにモード起動キーを再びオンする。このときに既にロックされているキーは、そのロックが解除されるので、ロック状態を即座に解除することができる。
【００１０】
また、ロック状態のキーが存在しない場合は、ロック対象キーを選択するモードであると判断するので、使用者はモード起動キーをオンするだけで、自動的にロック対象キーを選択するモードに移行することができる。
また、通常の操作を行なう条件は、何れかのキーをオンしたときに、ロック対象キーを選択するモードでないことを検出し、且つモード起動キーがオンされず、オンされたキーがロック対象キーとして選択されていない場合である。この状態であれば、全ての操作キーがその操作キーに基づいて動作を行なうことができるので、キーロックを行なわない状態での操作を容易に行うことができる。
また、何れかのキーがオンされたときに、ロック対象キーを選択するモードでないことを検出し、且つモード起動キーがオンされず、オンされたキーがロック対象キーとして選択されている場合は、エラーとして処理するので、オンされたキーがロックされていることを即座に認識することができる。
また、本発明の操作キー制御方法をコンピュータが制御可能なＯＳに従ってプログラミングすることにより、そのＯＳを備えたコンピュータであれば同じ処理方法により制御することができる。
【発明を実施するための最良の形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明による操作キー制御方法を適用した一実施形態の携帯通信端末装置の機能ブロック図である。この携帯通信端末装置１００は、音声メッセージや文字メッセージまたは制御信号等を高周波により変調してアンテナ４０より送出したり、アンテナ４０より受信した音声メッセージや文字メッセージまたは制御信号等を復調して制御部１２に出力する送受信回路部１０と、フラッシュメモリ１４に記憶されたプログラムやデータに従って、キー操作部２４および送受信回路部１０からの制御信号により動作し、送受信回路部１０、ＬＣＤドライバ１８および音声処理部２６を制御する制御部１２と、文字入力の際の辞書機能の１つである学習機能データも記憶されるＲＡＭ１６と、メッセージセンタから受信した文字メッセージや文字パターン（英、数字も含む）／アイコン（図形）などのフォント情報を記憶し、さらに電話帳メモリとしても使用され、複数の電話番号および氏名等を記憶するフラッシュメモリ１４と、制御部１２の制御に従ってＬＣＤ表示部２２を駆動してこれの表示を行うＬＣＤドライバ１８と、キーオン時や着信時等に制御部１２によって点灯、消灯制御され、点灯するとキー操作部２４およびＬＣＤ表示部２２を明るく照明する照明３２と、スピーカ２８及びマイク３０に接続され、制御部１２から入力した音声信号を増幅してスピーカ２８で出力したり、マイク３０で入力した音声信号を増幅して制御部１２に出力する処理を行う音声処理部２６と、制御部１２に接続され、この制御部１２の制御の下、着信時等に振動してそれを知らせるバイブレータ３４と、制御部１２によって制御され、着信時等に鳴動してそれを知らせるリンガ又はスピーカ３６と、制御部１２に接続され、この制御部１２による制御の下、着信時等に点滅してそれを知らせる着信ＬＥＤ（着信発光ダイオード）３８と、 を備えて構成されている。以下、キーが押された場合はキーがオンしたものとして説明する。
【００１２】
ここで、キー操作部２４は、複数の操作キーを備え、操作キーとして操作無効のロック対象キーを選択するモードを起動するモード起動キーと、このモードによる動作を完了させるモード完了キーと、を備えている。即ち、複数の操作キーを備えた携帯通信端末装置１００では、不用意に押された場合でも異常な動作をしないように、ロック機能が備えられている。本発明では、ロックするキーを使用者が選択できるモードを起動するモード起動キーと、そのモードを完了させるモード完了キーと、を備えている（詳細は後述する）。これにより、使用者がロックするキーを任意に選択することができる。
【００１３】
図２は本発明の携帯通信端末装置１００に備えられたキー操作部２４の動作を説明するフローチャートである。尚、各動作にＡ〜Ｇの矢印符号を付し、各矢印符号ごとに順次説明する。
動作Ａ：まず、キー操作部２４の何れかのキーが押されると（Ｓ１でＹ）、制御部１２は現在のモードがロック対象キー選択モードか否かを判断する（Ｓ２）。その結果、ロック対象キー選択モードであると（Ｓ２でＹ）、ステップＳ７に進んでモード完了キーが押されたかをチェックする（Ｓ７）。そのとき、モード完了キーが押されると（Ｓ７でＹ）、ステップＳ９に進んでロック対象キーが押されているか否かをチェックし（Ｓ９）、ロック対象キーが押されていると（Ｓ９でＹ）、選択されたキーがロック対象キーとしてロックされる（Ｓ１１）。即ち、モード起動キーが押されるとロック対象キーを選択するモードとなる。このモードに移行すると、モード完了キーが押されるまでに押された操作キーは全てロック対象キーとなる。これにより、ロック対象キーを選択するタイミングが明確となる。
【００１４】
動作Ｂ：まず、キー操作部２４の何れかのキーが押されると（Ｓ１でＹ）、制御部１２は現在のモードがロック対象キー選択モードか否かを判断する（Ｓ２）。その結果、ロック対象キー選択モードであると（Ｓ２でＹ）、ステップＳ７に進んでモード完了キーが押されたかをチェックする（Ｓ７）。そのとき、モード完了キーが押されると（Ｓ７でＹ）、ステップＳ９に進んでロック対象キーが押されているか否かをチェックし（Ｓ９）、ロック対象キーが押されていないと（Ｓ９でＮ）、全てのキーがロック対象キーとしてロックされない（Ｓ１０）。即ち、モード起動キーが押されるとロック対象キーを選択するモードとなる。しかし、ロック対象キーが押されずに、モード完了キーが押されると全ての操作キーをロック対象キーとしない。これにより、全ての操作キーをロック対象キーとしないことが容易に実現できる。
動作Ｃ：まず、キー操作部２４の何れかのキーが押されると（Ｓ１でＹ）、制御部１２は現在のモードがロック対象キー選択モードか否かを判断する（Ｓ２）。その結果、ロック対象キー選択モードであると（Ｓ２でＹ）、ステップＳ７に進んでモード完了キーが押されたかをチェックする（Ｓ７）。そのとき、モード完了キーが押されないと（Ｓ７でＮ）、ステップＳ８に進んで選択されたキーがロック対象キーとしてロックされる（Ｓ８）。即ち、モード起動キーが押されるとロック対象キーを選択するモードとなる。このモードに移行すると、モード完了キーが押されるまでに押された操作キーは全てロック対象キーとなる。これにより、ロック対象キーを選択するタイミングが明確となる。
【００１５】
動作Ｄ：まず、キー操作部２４の何れかのキーが押されると（Ｓ１でＹ）、制御部１２は現在のモードがロック対象キー選択モードか否かを判断する（Ｓ２）。その結果、ロック対象キー選択モードでないと（Ｓ２でＮ）、モード起動キーが押されたか否かを判断する（Ｓ３）。そのとき、モード起動キーが押せれると（Ｓ３でＹ）、機器がキーロック状態であるか否かを判断する（Ｓ１２）。キーロック状態であることを検出すると（Ｓ１２でＹ）、全てのキーロック状態を解除する（Ｓ１４）。即ち、ロック状態を解除する場合は、ロック対象キーを選択するモードでないときにモード起動キーを再び押す。このときに既にロックされているキーは、そのロックが解除される。これにより、ロック状態を即座に解除することができる。
動作Ｅ：まず、キー操作部２４の何れかのキーが押されると（Ｓ１でＹ）、制御部１２は現在のモードがロック対象キー選択モードか否かを判断する（Ｓ２）。その結果、ロック対象キー選択モードでないと（Ｓ２でＮ）、モード起動キーが押されたか否かを判断する（Ｓ３）。そのとき、モード起動キーが押されると（Ｓ３でＹ）、機器がキーロック状態であるか否かを判断する（Ｓ１２）。キーロック状態でないことを検出すると（Ｓ１２でＮ）、ロック対象キー選択モードに移行する（Ｓ１３）。即ち、ロック対象キーを選択するモードでないときにモード起動キーが押されると、操作キーをロックするか、ロックを解除するかの何れかの動作に移行する。その判断は、モード起動キーが押されたときに、ロック状態のキーが存在するか否かにより判断する。即ち、ロック状態のキーが存在しない場合は、ロック対象キーを選択するモードであると判断する。これにより、使用者はモード起動キーを押すだけで、自動的にロック対象キーを選択するモードに移行することができる。
【００１６】
動作Ｆ：まず、キー操作部２４の何れかのキーが押されると（Ｓ１でＹ）、制御部１２は現在のモードがロック対象キー選択モードか否かを判断する（Ｓ２）。その結果、ロック対象キー選択モードでないと（Ｓ２でＮ）、モード起動キーが押されたか否かを判断する（Ｓ３）。そのとき、モード起動キーが押せれないと（Ｓ３でＮ）、ステップＳ１で押されたキーがロック対象キーであるか否かを判断し（Ｓ４）、押されたキーがロック対象キーでない場合は、押されたキーの処理を行う（Ｓ５）。即ち、通常の操作を行なう条件は、何れかのキーを押したときに、ロック対象キーを選択するモードでないことを検出し、且つモード起動キーが押されず、押されたキーがロック対象キーとして選択されていない場合である。この状態であれば、全ての操作キーがその操作キーに基づいて動作を行なうことができる。これにより、キーロックを行なわない状態での操作を容易に行うことができる。
動作Ｇ：まず、キー操作部２４の何れかのキーが押されると（Ｓ１でＹ）、制御部１２は現在のモードがロック対象キー選択モードか否かを判断する（Ｓ２）。その結果、ロック対象キー選択モードでないと（Ｓ２でＮ）、モード起動キーが押されたか否かを判断する（Ｓ３）。そのとき、モード起動キーが押せれないと（Ｓ３でＮ）、ステップＳ１で押されたキーがロック対象キーであるか否かを判断し（Ｓ４）、押されたキーがロック対象キーである場合は、エラー音を発してキーがロックされていることを報知する（Ｓ６）。即ち、何れかのキーが押されたときに、ロック対象キーを選択するモードでないことを検出し、且つモード起動キーが押されず、押されたキーがロック対象キーとして選択されている場合は、エラーとして処理する。これにより、押されたキーがロックされていることを即座に認識することができる。
【００１７】
以上の動作Ａ〜Ｇは、操作キーにより制御される電子機器（例えば、ポータブル機器、家電機器等）であれば適用することが可能であり、例１として、設定変更モードをロック対象キーとして設定すると、機器の設定を変更できなくなる。また、例２として、送信キー（無線機の場合はＰＴＴキー、電話機の場合は通話キー）をロック対象キーとして設定すると、機器が受信専用機器となる。また、例３として、ボリュームをロック対象キーとして設定すると、突然大音量になったり、音が小さくて聞こえなくなることを防止することができる。また、例４として、無線機のＶＦＯ／ＣＡＬＬをロック対象キーとして設定すると、ＭＲモードのみでの使用となる。このように、選択できるキーは多種にわたり、自由な組み合わせで設定が可能である。ここで、例２を用いて具体的なキーロックの設定手順を説明する。１）ロック対象キー選択モードに入る（Ｓ１３）。２）送信キーを押す（Ｓ８）。３）ロック対象キー選択モードを完了させる（Ｓ７）。この一連の動作により、送信キーがロックされて、機器が受信専用機器となる。
【図面の簡単な説明】
【００１８】
【図１】本発明による操作キー制御方法を適用した一実施形態の携帯通信端末装置の機能ブロック図である。
【図２】本発明の携帯通信端末装置１００に備えられたキー操作部２４の動作を説明するフローチャートである。
【図３】従来のキーロック動作を説明する図である。
【符号の説明】
【００１９】
１０  送受信回路部、１２  制御部、１４  フラッシュメモリ、１６  ＲＡＭ、１８  ＬＣＤドライバ、２２  ＬＣＤ表示部、２４  キー操作部、２６  音声処理部、２８  スピーカ、３０  マイク、３２  照明、３４  バイブレータ、３６  リンガ又はスピーカ、３８  着信ＬＥＤ、４０  アンテナ、１００  携帯通信端末装置
【図１】
2009105677.tif 000003
【図２】
2009105677.tif 000004
【図３】
2009105677.tif 000005